(57)【要約】【課題】ワイヤ切断機構によって切断して切り離されたワイヤの切断端部側を保持してワイヤの適正なループ形態を維持させ、さらに、ワイヤの結束中の間保持して、確実にワイヤの両端部を鉄筋の裏側にとどめることができ、ワイヤの両端部が結束したワイヤループから飛び出ることを防止した鉄筋結束機を提供する。【解決手段】ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機である。鉄筋結束機は、ガイド部にワイヤ切断機構により切断して切り離されたワイヤの切断端部側を保持する保持装置が設けられている。【選択図】図５
2019014536.tif 000002
【特許請求の範囲】
【請求項１】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された固定刃と、前記固定刃に摺動又は揺動してワイヤを切断する可動刃とからなるカッターであって、
ガイド部には、可動刃の切断動作に連動して切断して切り離されたワイヤの切断端部側を保持する保持装置が設けられ、
前記保持装置は、前記可動刃の先端に形成され、切断して切り離されたワイヤの切断端部側を折り曲げて保持する折曲部であることを特徴とする鉄筋結束機。
【請求項２】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された可動刃と、前記可動刃を回動可能に収納する固定刃とからなり、可動刃の回転によりワイヤ貫通孔のワイヤ入口側が固定刃に摺動してワイヤを切断するカッターであって、
ガイド部には、可動刃の切断動作に連動して切断して切り離されたワイヤの切断端部側を保持する保持装置が設けられ、
前記保持装置は、切断して切り離されたワイヤの切断端部側を折り曲げて保持する可動刃のワイヤ貫通孔のワイヤ出口の端縁であることを特徴とする鉄筋結束機。
【請求項３】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された固定刃と、前記固定刃に摺動又は揺動してワイヤを切断する可動刃とからなるカッターであって、
ガイド部には、可動刃の切断動作に連動して切断して切り離されたワイヤの切断端部側を保持する保持装置が設けられ、
前記保持装置は、可動刃と、可動刃で切断して切り離されたワイヤの切断端部を当接して折り曲げる当接部とからなることを特徴とする鉄筋結束機。
【請求項４】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された固定刃と、前記固定刃に摺動又は揺動してワイヤを切断する可動刃とからなるカッターであって、
前記可動刃の先端には、切断して切り離されたワイヤの切断端部側を折り曲げる折曲部が形成され、
ガイド部には、可動刃の切断動作に連動して切断して切り離されたワイヤの切断端部側を保持する保持装置が設けられ、
前記保持装置は、前記可動刃の先端に形成された折曲部で折り曲げられたワイヤの切断端部側と当接して係合する当接部であることを特徴とする鉄筋結束機。
【請求項５】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された可動刃と、前記可動刃を回動可能に収納する固定刃とからなり、可動刃の回転によりワイヤ貫通孔のワイヤ入口側が固定刃に摺動してワイヤを切断するカッターであって、
ガイド部には、可動刃の切断動作に連動して切断して切り離されたワイヤの切断端部側を保持する保持装置が設けられ、
前記保持装置は、可動刃のワイヤ出口の端縁と、切断して切り離されたワイヤの切断端部側と当接する当接部とからなることを特徴とする鉄筋結束機。
【請求項６】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された固定刃と、前記固定刃の周囲に回動可能に設けられた可動刃とからなり、可動刃の回転により固定刃のワイヤ貫通孔のワイヤ出口側に可動刃が摺動してワイヤを切断するカッターであって、
ガイド部には、可動刃の切断動作に連動して切断して切り離されたワイヤの切断端部側を保持する保持装置が設けられ、
前記保持装置は、可動刃と、切断して切り離されたワイヤの切断端部側と当接する当接部とからなることを特徴とする鉄筋結束機。
【請求項７】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
前記ワイヤ切断機構は、ワイヤの送り方向に向かってワイヤ貫通孔が形成された固定刃と、前記固定刃に摺動又は揺動してワイヤを切断する可動刃とからなるカッターであって、
ガイド部には、可動刃の切断動作に連動して切断して切り離されたワイヤの切断端部側を保持する保持装置が設けられ、
前記保持装置は、前記可動刃の一側に形成され、切断して切り離されたワイヤの切断端部側をワイヤ案内通路の側面側に押圧する押圧部であることを特徴とする鉄筋結束機。
【請求項８】
前記保持装置は、前記押圧部が、切断して切り離されたワイヤの切断端部側をワイヤ案内通路の側面側に押し付けて保持することを特徴とする請求項７記載の鉄筋結束機。
【発明の詳細な説明】
【技術分野】
【０００１】
本願発明は、ワイヤリールを着脱可能に装着することができ、装着したワイヤリールから引き出したワイヤを結束機本体の先端に設けたガイド部から鉄筋のまわりに送り出して鉄筋の周囲にループ状に巻き回した後に捩って鉄筋を結束する鉄筋結束機に関する。
【背景技術】
【０００２】
鉄筋結束機は、結束機本体の先端に設けた湾曲したガイド部内に交叉した２本の鉄筋を差し込み、結束機本体に装着したワイヤリールからワイヤ送り装置によりワイヤを引き出して、前記ガイド部でワイヤに巻き癖を付けてカールさせながら送り出し、２本の鉄筋のまわりにワイヤをループ状に巻き回すように構成されている。さらに、鉄筋結束機は、ワイヤを２本の鉄筋のまわりに巻き回した後、ワイヤ切断機構によりワイヤの元側を切断し、ワイヤループの一端をワイヤ捩り装置の一対の捩り用フックで掴んで回転させることによりワイヤを捩って、鉄筋を緊縛して結束する（例えば、特許文献１，２）。
【先行技術文献】
【特許文献】
【０００３】
【特許文献１】実用新案登録第２５５２３８４号
【特許文献２】特許第５３０９９４７号
【発明の概要】
【発明が解決しようとする課題】
【０００４】
鉄筋結束機は、鉄筋を結束するとき、結束機本体の先端に設けたガイド部内に２本の鉄筋の交差部を差し込み、ワイヤを２本の鉄筋に巻き回してワイヤループを形成してからワイヤの元側を切断し、ワイヤループの一端をワイヤ捩り装置の一対の捩り用フックで掴んで回転させることによりワイヤを捩って、鉄筋を緊縛して結束し、ワイヤの結束後にガイド部内の２本の鉄筋から引き離す操作を行う。このワイヤループは、鉄筋の周りに２回乃至３回巻き回されて捩られるので、鉄筋結束機の結束に適した適正なループ形態が切断後でも維持されていることが望ましい。しかし、巻き回した後直ぐにワイヤが切断されるので、ワイヤループの両端が自由状態となり、ループが緩んで適正なループ形態が維持できなくなる場合がある。ワイヤループは、ガイド部でワイヤにカール状に巻き癖が付けられて形成されるが、ワイヤが金属製なので復元力があり、端部が切断されて両端が自由状態になると、復元力がカール径の膨らむ方向（外径方向）に働いて、カール径の外径が大きくなる他、最終巻きのカール部分のみが緩む等により、適正なループ形態が維持できていない場合が起こり得る。鉄筋結束機は、上記したように適正なワイヤループが維持できていない場合には、結束不良を起こす可能性が高い。
【０００５】
鉄筋結束機において設定されている一対の捩り用フックの回転数は、適正なカール径に合わせて設定されているので、切断してカール径の外径が大きくなったワイヤループでは捩る回転数が足りなくなり、鉄筋を不完全に結束する結束不良を起こすことになる。また、鉄筋結束機において設定されている一対の捩り用フックの捩りトルクは、所定の巻き数に合わせて設定されているので、最終巻きのカール部分のみが緩むと、一対の捩り用フックが所定巻き数（例えば３巻き）より少ない巻き数（例えば２巻き）のワイヤのループを捩ることになり、ワイヤループをねじ切ってしまうこともある。たとえねじ切れなくても、捩り部から緩んだ最終巻きのカール部分がひげ状に飛び出して、ワイヤの結束形態を損ない、しかも、コンクリート内部において後述するように悪影響を及ぼすにも繋がってくる。
【０００６】
また、ワイヤループは、巻き回した後ワイヤが切断されても、適正なループ形態が維持されている場合もある。鉄筋結束機は、所定の巻き数（例えば２巻き）でワイヤループの一端を一対の捩り用フックが捩って結束すると、両端が均一に巻き込んだ二巻き分の捩り部が形成され、この捩り部の反対側の位置で両端がクロスするような適正な結束形態が得られる。しかし、ワイヤループの両端が自由状態なので、ワイヤループの一端を捩って結束すると、切断して切り離されたワイヤの切断端部（以下、終端部という。）側のワイヤの一部が捩る際の変動で振り回され、均一に捩り部に巻き込めず、適正な結束形態が得られない場合がある。また、捩り部が本来なら二巻き分であるところを一巻き分となってしまい、強度不足により一対の捩り用フックの捩りトルクでねじ切ってしまうことにもつながった。例え、ねじ切れなかったとしても、一巻き分の捩り部であると、本来予定している二巻き分の捩り部の結束力を得ることができていないので、束ねた固定している２本の鉄筋が緩む恐れがあり、再度結束のやり直しをしなければならなかった。
【０００７】
鉄筋結束機は、ワイヤの切断後にワイヤを捩って鉄筋を結束するので、ワイヤを捩っている間、鉄筋のまわりに巻き回されたワイヤの始端部と切断された終端部がフリーの状態になっているのは上述した通りである。ワイヤの始端部と終端部（両端部）は、捩り用フックで捩る部分から離れた略反対側の位置にあり、ワイヤを捩る時の影響でワイヤループの横に飛び出す場合がある。かかる場合、ワイヤの捩り終了後、ガイド部を鉄筋から外すために鉄筋結束機を引き抜く時に、フリーになっているワイヤの始端部と終端部のいずれか又は両方がガイド部等に引っかかり、鉄筋の捩り部分側に反り返るように移動してしまうことがある。また、ワイヤの端部が捩り部側にはみ出して鉄筋から離れてしまうので、見栄えが悪くなるだけでなく、この状態でコンクリートを打つと、コンクリートの表面からワイヤの端部が突出することがある。ワイヤがコンクリート面からワイヤの端部が露出すると、雨水がワイヤとコンクリートとの間の隙間を通って内部に浸入し、ひび割れを発生させる原因となる。このことから、鉄筋結束機は、ワイヤの切断後も端部が保持されて適正なループ形態を維持することができ、結束中に切断した端部が捩り部に巻き込まれて適正な結束形態を損なうことがなく、拘束した鉄筋から引き抜く時にはワイヤの端部がガイド部からスムーズに引き出せる保持装置が望まれていた。
【０００８】
本願発明は、上記問題点に鑑み案出したものであって、ワイヤ切断機構によって切断して切り離されたワイヤの切断端部側を保持してワイヤの適正なループ形態を維持させ、さらに、ワイヤの結束中の間保持して、確実にワイヤの両端部を鉄筋の裏側にとどめることができ、ワイヤの両端部が結束したワイヤループから飛び出ることを防止した鉄筋結束機を提供することを目的とする。
【課題を解決するための手段】
【０００９】
本願請求項１に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された固定刃と、前記固定刃に摺動又は揺動してワイヤを切断する可動刃とからなるカッターであって、ガイド部には、可動刃の切断動作に連動して切断して切り離されたワイヤの切断端部側を保持する保持装置が設けられ、前記保持装置は、前記可動刃の先端に形成され、切断して切り離されたワイヤの切断端部側を折り曲げて保持する折曲部であることを特徴とする。
【００１０】
本願請求項２に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された可動刃と、前記可動刃を回動可能に収納する固定刃とからなり、可動刃の回転によりワイヤ貫通孔のワイヤ入口側が固定刃に摺動してワイヤを切断するカッターであって、ガイド部には、可動刃の切断動作に連動して切断して切り離されたワイヤの切断端部側を保持する保持装置が設けられ、前記保持装置は、切断して切り離されたワイヤの切断端部側を折り曲げて保持する可動刃のワイヤ貫通孔のワイヤ出口の端縁であることを特徴とする。
【００１１】
本願請求項３に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された固定刃と、前記固定刃に摺動又は揺動してワイヤを切断する可動刃とからなるカッターであって、ガイド部には、可動刃の切断動作に連動して切断して切り離されたワイヤの切断端部側を保持する保持装置が設けられ、前記保持装置は、可動刃と、可動刃で切断して切り離されたワイヤの切断端部を当接して折り曲げる当接部とからなることを特徴とする。
【００１２】
本願請求項４に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された固定刃と、前記固定刃に摺動又は揺動してワイヤを切断する可動刃とからなるカッターであって、前記可動刃の先端には、切断して切り離されたワイヤの切断端部側を折り曲げる折曲部が形成され、ガイド部には、可動刃の切断動作に連動して切断して切り離されたワイヤの切断端部側を保持する保持装置が設けられ、前記保持装置は、前記可動刃の先端に形成された折曲部で折り曲げられたワイヤの切断端部側と当接して係合する当接部であることを特徴とする。
【００１３】
本願請求項５に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された可動刃と、前記可動刃を回動可能に収納する固定刃とからなり、可動刃の回転によりワイヤ貫通孔のワイヤ入口側が固定刃に摺動してワイヤを切断するカッターであって、ガイド部には、可動刃の切断動作に連動して切断して切り離されたワイヤの切断端部側を保持する保持装置が設けられ、前記保持装置は、可動刃のワイヤ出口の端縁と、切断して切り離されたワイヤの切断端部側と当接する当接部とからなることを特徴とする。
【００１４】
本願請求項６に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された固定刃と、前記固定刃の周囲に回動可能に設けられた可動刃とからなり、可動刃の回転により固定刃のワイヤ貫通孔のワイヤ出口側に可動刃が摺動してワイヤを切断するカッターであって、ガイド部には、可動刃の切断動作に連動して切断して切り離されたワイヤの切断端部側を保持する保持装置が設けられ、前記保持装置は、可動刃と、切断して切り離されたワイヤの切断端部側と当接する当接部とからなることを特徴とする。
【００１５】
本願請求項７に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、前記ワイヤ切断機構は、ワイヤの送り方向に向かってワイヤ貫通孔が形成された固定刃と、前記固定刃に摺動又は揺動してワイヤを切断する可動刃とからなるカッターであって、ガイド部には、可動刃の切断動作に連動して切断して切り離されたワイヤの切断端部側を保持する保持装置が設けられ、前記保持装置は、前記可動刃の一側に形成され、切断して切り離されたワイヤの切断端部側をワイヤ案内通路の側面側に押圧する押圧部であることを特徴とする。
【００１６】
本願請求項８に係る鉄筋結束機は、上記目的を達成するため、前記保持装置は、前記押圧部が、切断して切り離されたワイヤの切断端部側をワイヤ案内通路の側面側に押し付けて保持することを特徴とする。
【発明の効果】
【００１７】
本願発明に係る鉄筋結束機は、ワイヤを鉄筋のまわりに送り出して鉄筋の周囲に巻き回してワイヤループを形成した後にワイヤ切断機構によりワイヤを切断するが、保持装置により、切断して切り離されたワイヤの切断端部側を保持するので、ワイヤループの切断端部が切断されても自由状態にならず、ワイヤループが緩まないようになっており、ワイヤループの適正な環状形態を維持することができるという効果がある。また、結束前にワイヤループの適正な環状形態が維持されているので、結束不良を起こし難いという効果がある。また、ワイヤループの結束中であっても、ワイヤの切断端部側を保持しているので、切断された切断端部側のワイヤの一部が捩り部に巻き込まれないようになっており、適正な結束形態を得ることができるという効果がある。このように、本願発明に係る鉄筋結束機は、ワイヤ切断機構によって切断して切り離されたワイヤの切断端部側を保持してワイヤの適正なループ形態を維持させ、さらに、ワイヤの結束中の間、ワイヤの切断端部側を保持して、ワイヤの両端部を鉄筋の裏側にとどめることができ、ワイヤの両端部が結束したワイヤループから飛び出ることを防止することができるという効果がある。
【図面の簡単な説明】
【００１８】
【図１】本願発明に係る鉄筋結束機の一実施例を示す側面図である。
【図２】図１の鉄筋結束機を斜め下から見た斜視図である。
【図３】鉄筋結束機の一つのワイヤ切断機構を説明する側面説明図である。
【図４】鉄筋結束機の他のワイヤ切断機構を説明する側面説明図である。
【図５】鉄筋結束機のガイド部の内部構成の第１の実施例を示す側面図である。
【図６】鉄筋結束機のガイド部の内部構成の第２の実施例を示す側面図である。
【図７】鉄筋結束機のガイド部の内部構成の第３の実施例を示す側面図である。
【図８】鉄筋結束機のガイド部の内部構成の第４の実施例を示す側面図である。
【図９】鉄筋結束機のガイド部の内部構成の第５の実施例を示す側面図である。
【図１０】鉄筋結束機のガイド部の内部構成の第６の実施例を示す側面図である。
【図１１】鉄筋結束機のガイド部の内部構成の第７の実施例を示す側面図である。
【図１２】鉄筋結束機のガイド部の内部構成の第８の実施例を示す側面図である。
【図１３】鉄筋結束機のガイド部の内部構成の第９の実施例を示す側面図である。
【図１４】鉄筋結束機のガイド部の内部構成の第１０、１１の実施例を示す側面図である。
【図１５】鉄筋結束機のガイド部の内部構成の第１２の実施例を示す側面図である。
【発明を実施するための形態】
【実施例１】
【００１９】
以下、鉄筋結束機について詳細に説明をする。図１に示すように、鉄筋結束機１は、結束機本体２と、結束機本体２の先端に取り付けられたガイド部６とからなる。結束機本体２は、ワイヤリールを収納する収納室３と、収納室３内に装着したワイヤリールのワイヤを引き出してガイド部６に送るワイヤ送り装置（図示せず）と、ワイヤ送り装置を操作するトリガ４が設けられている。ワイヤ送り装置は、トリガ４を操作すると、電動モータ（図示せず）が駆動して、ワイヤリールのワイヤ５を前方に送り出すようになっている。
【００２０】
ガイド部６には、緩やかに湾曲したガイドフレーム１３が設けられている。図３に示すように、ガイドフレーム１３には、前記ワイヤ送り装置によってワイヤリールから引き出されたワイヤ５をガイドして送り出す案内管８と、前記ワイヤ送り装置によって所定量のワイヤ５を送り出して鉄筋７に巻き回した後に切断するためのワイヤ切断機構３１と、ワイヤ切断機構３１を経て送られたワイヤ５を湾曲させるカールガイド１２とが順に配置固定されている。カールガイド１２は、ガイドフレーム１３の先端側に固定され、ガイドフレーム１３と協働してワイヤ５をカールする方向に案内するガイド溝２０が形成されている。
【００２１】
図３に示すように、ワイヤ切断機構３１は、ワイヤ５の送り量が所定量に達すると、ワイヤ５を切断するように構成されている。ワイヤ切断機構３１はガイドフレーム１３に固定された固定刃３２と、固定刃３２に摺動してワイヤ５を切断する可動刃３３と、可動刃３３をリンク機構３７を介して可動させる駆動レバー１６とから構成された摺動式切断機構のスライドカッターである。
【００２２】
固定刃３２には、ワイヤ５の送り方向に向かってワイヤ貫通孔３２ａが貫通形成されている。ワイヤ貫通孔３２ａの一端は案内管８の先端８ｂに向かって開口し、他端はカールガイド１２に向かって開口している。ワイヤ貫通孔３２ａの一端側の開口は、ワイヤ入口３２ｃであって、ワイヤ貫通孔３２ａの他端側の開口は、ワイヤ出口３２ｄである。
【００２３】
ワイヤ切断機構３１は、駆動レバー１６によりリンク機構３７を介して可動刃３３を下方（ワイヤの曲線の外側から内側）に可動させることによって、可動刃３３の一方の面３３ａが固定刃３２のワイヤ貫通孔３２ａのワイヤ出口３２ｄ側の面３２ｅに沿って下方に摺動し、可動刃３３の一方の面３３ａの下端縁がワイヤ貫通孔３２ａに貫通させたワイヤ５を切断するようになっている。
【００２４】
鉄筋結束機のワイヤ切断機構は上記した摺動式切断機構のスライドカッター以外に回動式切断機構のロータリーカッターでも使用される。図４に示すように、ワイヤ切断機構５１は、ワイヤ５の送り量が所定量に達すると、ワイヤ５を切断するように構成されている。ワイヤ切断機構５１は、回動可能に設けられた円軸状の可動刃５２と、ガイドフレーム１３に固定され、前記円軸状の可動刃５２を回動可能に収納する固定刃５３と、前記可動刃５２を回動させる駆動レバー１６とから構成されたロータリーカッターである。
【００２５】
円軸状の可動刃５２には、ワイヤ５の送り方向に向かってワイヤ貫通孔５２ａが貫通形成されている。ワイヤ貫通孔５２ａの一端は案内管８の先端８ｂに向かって開口し、他端はカールガイド１２に向かって開口している。ワイヤ貫通孔５２ａの一端側の開口は、ワイヤ入口５２ｂであって、ワイヤ貫通孔５２ａの他端側の開口は、ワイヤ出口５２ｃである。また、固定刃５３には、ワイヤ５の送り方向に向かってワイヤ挿通孔５３ａが形成されている。ワイヤ挿通孔５３ａの一端は可動刃５２のワイヤ貫通孔５２ａのワイヤ出口５２ｃに向かって開口し、他端はカールガイド１２に向かって開口している。固定刃５３のワイヤ挿通孔５３ａの一端側の開口は、ワイヤ進入口５３ｂであって、ワイヤ挿通孔５３ａの他端側の開口は、ワイヤ排出口５３ｃである。
【００２６】
ワイヤ切断機構５１は、駆動レバー１６により可動刃５２を反時計方向に回動させることによって、可動刃５２のワイヤ出口５２ｃ側の面が固定刃５３のワイヤ進入口５３ｂ側の面に沿って上方に摺動し、可動刃５２のワイヤ出口５２ｃの下端縁がワイヤ貫通孔５２ａに貫通させたワイヤ５を切断するようになっている。
【００２７】
図３に示すように、案内管８は、一端８ａが収納室３側に開口し、他端（先端）８ｂがワイヤ切断機構３１（又は５１）側に開口している。案内管８の他端８ｂ開口は絞られており、ワイヤ５が決められた位置から導出されるようになっている。カールガイド１２は、円弧状に湾曲しており、結束機本体２から送り出されたワイヤ５をカールさせて巻き癖を付け、図１に示す下部ガイド９との間で鉄筋７のまわりを周回させるようになっている。なお、ガイド部６には、カールガイド１２の隣に、カールガイド１２から送り出され、ループ状に周回して戻ってきたワイヤ５の始端部を拾い込み、再び次の周回送りのためにガイドするカール拾いこみガイドが形成されている。
【００２８】
結束機本体２には、鉄筋のまわりにループ状に巻き回されたワイヤ５を捩って鉄筋を結束するワイヤ捩り装置が設けられている。ワイヤ捩り装置は、図１のＰ部に設けられた１対のフックを開閉自在に枢着したスリーブを電動モータにより前進移動させてフックを閉じ動作させることにより、鉄筋のまわりにループ状に巻き回されたワイヤ５を把持した後、スリーブとともにフックを回転させてワイヤを捩って鉄筋を結束し、その後フックを開き動作させるとともにスリーブを後退移動させてワイヤから離脱させて初期位置に戻すようにしたものである。そして、上記スリーブがワイヤループを掴みに前進するときに上述のワイヤ切断機構３１又は５１の駆動レバー１６を作動させてワイヤ５を切断（剪断）する。
【００２９】
このように、鉄筋結束機１は、結束機本体２に設けられた収納室３に、鉄筋結束用のワイヤ５を巻き付けたワイヤリールを装着し、トリガ４を引き操作することにより、上記ワイヤリールを回転させながらワイヤ５を結束機本体２の先端に設けられたガイド部６に送り、該ガイド部６のカールガイド１２のガイド溝２０でワイヤ５に巻き癖を付けてガイド部６の内側に配置された鉄筋７のまわりに送り出してその周囲に巻き回した後にワイヤ５の元側を切断するとともに、巻き回した部分を捩って上記鉄筋７を結束するものである。
【００３０】
なお、上記案内管８の端部には、第１のガイドピン２３が設けられている。第１のガイドピン２３は、案内管８の内側に突出している。これにより、ワイヤ５の曲げの外側を構成する外側面は第１のガイドピン２３によってガイドされる。
【００３１】
また、カールガイド１２の先端内側には第３のガイドピン２５が設けられている。第３のガイドピン２５はカールガイド１２のガイド面よりもわずかに内側に突出するように取り付けられている。したがって、カールガイド１２のガイド溝２０に沿って送り出されたワイヤ５の曲げの外側面は第３のガイドピン２５に接触して下方に送られる。なお、上記第１、第３のガイドピン２３，２５は超硬ピン（超硬合金ピンやセラミックピン）のように硬度が高い材料から構成するのが好ましい。
【００３２】
以上のように、案内管８から送り出されたワイヤは、案内管８の先端８ｂ側に配置された第１のガイドピン２３に接触し、ワイヤ切断機構３１又は５１を通過した後、ワイヤ５はカールガイド１２の内側面に沿って送り出され、第３のガイドピン２５に当たって強く曲げの癖が付けられる。このように、ワイヤ５は硬度が高い第１、第３のガイドピン２３、２５に接触する。
【００３３】
ガイド部６の第１の実施例を説明する。図５に示すように、ワイヤ切断機構３１は、ワイヤ５の送り量が所定量に達すると、ワイヤ５を切断するように構成されている。ワイヤ切断機構３１はガイドフレーム１３に固定された固定刃３２と、固定刃３２に摺動してワイヤを切断する可動刃３３と、可動刃３３を可動させる駆動レバー１６とから構成されたスライドカッターである。
【００３４】
固定刃３２には、ワイヤ５の送り方向に向かってワイヤ貫通孔３２ａが貫通形成されている。ワイヤ貫通孔３２ａの一端は案内管８の先端部８ｂに向かって開口し、他端はカールガイド１２に向かって開口している。ワイヤ貫通孔３２ａの一端側の開口は、ワイヤ入口３２ｃであって、ワイヤ貫通孔３２ａの他端側の開口は、ワイヤ出口３２ｄである。
【００３５】
ワイヤ切断機構３１は、駆動レバー１６により可動刃３３を上方（ワイヤの曲線の内側から外側）に可動させることによって、可動刃３３の一方の面３３ａが固定刃３２のワイヤ貫通孔３２ａのワイヤ出口３２ｄ側の面３２ｅに沿って上方に摺動し、可動刃３３の一方の面３３ａの上端縁がワイヤ貫通孔３２ａに貫通させたワイヤ５を切断するようになっている。
【００３６】
前記可動刃３３は、切断して切り離されたワイヤ５の切断端部（以下、終端部という。）５ｂ側の一側５ｃを切断方向（上方）に押し出す。可動刃３３の他方の面３３ｂの上部には、略三角状の折曲突起３４が形成されている。折曲突起３４は、他方の面３３ｂを延長して形成された垂直面３４ａと垂直面３４ａの先端から固定刃３２側に向かって下降傾斜する傾斜面３４ｂとからなる。折曲突起３４は、可動刃３３の上端に形成され、切断したワイヤ５の終端部５ｂ側の一側５ｃを折り曲げて保持する保持装置の折曲部を構成する。ワイヤ５の終端部５ｂ側の一側５ｃとは、可動刃３３の折曲突起３４の先端が接触する位置のことである。
【００３７】
鉄筋結束機１は、上記構成により、ワイヤ５がガイド部６で巻き癖を付けられて鉄筋７の周囲に巻き回された後、ワイヤ切断機構３１が作動し、可動刃３３が上動すると、切断前に、折曲突起３４の先端がワイヤ５の終端部５ｂの近傍に係合してワイヤ５を押し上げて折り曲げ、一方の面３３ａの上端縁でワイヤ５を切断する。
【００３８】
可動刃３３は、切断後切断した位置で停止する。ワイヤ５の終端部５ｂ側の一側５ｃは、折曲突起３４の先端により折り曲げられて、折曲突起３４の先端部に引っかかり、ワイヤ５の終端部５ｂから終端部５ｂの一側５ｃまでが傾斜面３４ｂに係合した状態で保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。可動刃３３に折曲突起３４を設けるだけで、折り曲げ部材として兼用できて折り曲げるための別部材が不要となる。また、ワイヤ切断の一連の動作でワイヤ５の終端部５ｂを折り曲げて保持できるため、特別の動作が不要となる。
【００３９】
鉄筋結束後に可動刃３３が切断前の元の位置に復帰するので、ワイヤ５の終端部５ｂ側の一側５ｃの保持が解除され、切断して捩ったワイヤ５の両端５ａ、５ｂを結束機本体２から変形させることなくスムーズ且つ簡単に外すことができる。
【００４０】
上記第１の実施例は、上下摺動型のワイヤ切断機構３１で説明したが、図６に示すように、揺動型のワイヤ切断機構４１に適用しても、同様の作用効果を達成できることは言うまでもない。
【００４１】
ガイド部６の第３の実施例を説明する。図７に示すように、ワイヤ切断機構５１は、ワイヤ５の送り量が所定量に達すると、ワイヤ５を切断するように構成されている。すなわち、ワイヤ切断機構５１は、回動可能に設けられた円軸状の可動刃５２と、ガイドフレーム１３に固定され、前記円軸状の可動刃５２を回動可能に収納する固定刃５３と、前記可動刃５２を回動させる駆動レバー１６とから構成されたロータリーカッターである。
【００４２】
円軸状の可動刃５２には、ワイヤ５の送り方向に向かってワイヤ貫通孔５２ａが貫通形成されている。ワイヤ貫通孔５２ａの一端は案内管８の先端部８ｂに向かって開口し、他端はカールガイド１２に向かって開口している。ワイヤ貫通孔５２ａの一端側の開口は、ワイヤ入口５２ｂであって、ワイヤ貫通孔５２ａの他端側の開口は、ワイヤ出口５２ｃである。また、固定刃５３には、ワイヤ５の送り方向に向かってワイヤ挿通孔５３ａが形成されている。ワイヤ挿通孔５３ａの一端は案内管８の先端部８ｂに向かって開口し、ワイヤ挿通孔５３ａの他端は可動刃５２のワイヤ貫通孔５２ａのワイヤ入口５２ｂに向かって開口している。ワイヤ挿通孔５３ａの一端側の開口は、ワイヤ進入口５３ｂであって、ワイヤ挿通孔５３ａの他端側の開口は、ワイヤ排出口５３ｃである。
【００４３】
ワイヤ切断機構５１は、駆動レバー１６により可動刃５２を反時計方向に回動させることによって、可動刃５２のワイヤ入口５２ｂ側の面が固定刃５３のワイヤ排出口５３ｃ側の面に沿って下方に摺動し、可動刃５２のワイヤ入口５２ｂの上端縁５２ｄがワイヤ貫通孔５２ａに貫通させたワイヤ５を切断するようになっている。
【００４４】
前記可動刃５２は、ワイヤ５を切断すると共に、ワイヤ貫通孔５２ａのワイヤ出口５２ｃの下端縁５２ｅが、切断して切り離されたワイヤ５の切断端部（以下、終端部という。）５ｂ側の一側５ｃを反切断方向（上方）に押し出して折り曲げる。従って、鉄筋結束機１は、ワイヤ５を切断した後の終端部５ｂ側の一側５ｃを可動刃５２のワイヤ貫通孔５２ａのワイヤ出口５２ｃの下端縁５２ｅが折り曲げて保持することになる。ワイヤ５の終端部５ｂ側の一側５ｃとは、可動刃５２の下端縁５２ｅが接触する位置のことである。
【００４５】
鉄筋結束機１は、上記構成により、ワイヤ５がガイド部６で巻き癖を付けられて鉄筋７の周囲に巻き回された後、ワイヤ切断機構５１が作動し、可動刃５２が回動して可動刃５２のワイヤ貫通孔５２ａのワイヤ入口５２ｂの上端縁５２ｄがワイヤ５を切断する。このワイヤ５の切断と略同時に、可動刃５２のワイヤ貫通孔５２ａのワイヤ出口５２ｃの下端縁５２ｅが切断したワイヤ５の終端部５ｂ側の一側５ｃを切断方向（上方）に押し上げて折り曲げる。可動刃５２は、切断後切断した位置で停止する。ワイヤ５の終端部５ｂ側の一側５ｃは、可動刃５２のワイヤ貫通孔５２ａのワイヤ出口５２ｃの下端縁５２ｅによって折り曲げられて、下端縁５２ｅに引っ掛かり、保持される。
【００４６】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。ワイヤ５の切断時にワイヤ５の終端部５ｂが可動刃５２のワイヤ貫通孔５２ａの中に存在しながら可動刃５２の下端縁５２ｅにワイヤを折り曲げるため、ワイヤ貫通孔５２ａの長さ方向分の折り曲げ長さがあり、確実にワイヤ５を引っ掛けることができる。また、ワイヤ切断の一連の動作でワイヤ５の終端部５ｂを折り曲げて保持できるため、特別の動作が不要となる。
【００４７】
鉄筋結束後に可動刃５２が切断前の元の位置に復帰するので、ワイヤ５の終端部５ｂ側の一側５ｃの保持が解除され、切断して捩ったワイヤ５の両端５ａ、５ｂを変形させることなく結束機本体２からスムーズ且つ簡単に外すことができる。
【００４８】
ガイド部６の第４の実施例を説明する。図８に示すように、ワイヤ切断機構６１は、ワイヤ５の送り量が所定量に達すると、ワイヤ５を切断するように構成されている。すなわち、ワイヤ切断機構６１はガイドフレーム１３に固定された固定刃６２と、固定刃６２に摺動してワイヤ５を切断する可動刃６３と、可動刃６３を可動させる駆動レバー１６とから構成されたスライドカッターである。
【００４９】
固定刃６２には、ワイヤ５の送り方向に向かってワイヤ貫通孔６２ａが貫通形成されている。ワイヤ貫通孔６２ａの一端は案内管８の先端部８ｂに向かって開口し、他端はカールガイド１２に向かって開口している。ワイヤ貫通孔６２ａの一端側の開口は、ワイヤ入口６２ｂであって、ワイヤ貫通孔６２ａの他端側の開口は、ワイヤ出口６２ｃである。
【００５０】
ワイヤ切断機構６１は、駆動レバー１６により可動刃６３を下方（ワイヤの曲線の外側から内側）に可動させることによって、可動刃６３の一方の面６３ａが固定刃６２のワイヤ貫通孔６２ａのワイヤ出口６２ｃ側の面に沿って下方に摺動し、可動刃６３の一方の面６３ａの下端縁がワイヤ貫通孔６２ａを貫通したワイヤ５を切断するようになっている。
【００５１】
前記可動刃６３は、下端部６３ｃが、切断して切り離されたワイヤ５の切断端部（以下、終端部という。）５ｂを切断方向（下方）に押し出す。ガイドフレーム１３には、可動刃６３で押し出されたワイヤ５の終端部５ｂ側の一側５ｃに当接して折り曲げる当接部としてガイドピン６５が設けられている。可動刃６３の下端部６３ｃによって押し出されたワイヤ５の終端部５ｂ側の一側５ｃがガイドピン６５に当接して折り曲げられる。従って、鉄筋結束機１は、ワイヤ５を切断した後の終端部５ｂ側の一側５ｃを可動刃６３の下端部６３ｃとガイドピン６５によって挟み込むように保持することになる。ワイヤ５の終端部５ｂ側の一側５ｃとは、ガイドピン６５が接触する位置のことである。
【００５２】
鉄筋結束機１は、上記構成により、ワイヤ５がガイド部６で巻き癖を付けられて鉄筋７の周囲に巻き回された後、ワイヤ切断機構６１が作動し、可動刃６３が下動して切断すると、下端部６３ｃが切断したワイヤ５の終端部５ｂを切断方向（下方）に押し出し、ワイヤ５の終端部５ｂ側の一側５ｃをガイドピン６５に当接させて折り曲げる。
【００５３】
可動刃６３は、切断後切断した位置で停止する。可動刃６３の下端部６３ｃとガイドピン６５で、ワイヤ５の終端部５ｂ側の一側５ｃを挟持する。これにより、ワイヤ５の終端部５ｂ側の一側５ｃが可動刃６３の下端部６３ｃとガイドピン６５で保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。可動刃６３のワイヤ５を切断する動作とガイドピン６５を利用してワイヤ５を折り曲げてワイヤ終端部５ｂを保持できる。
【００５４】
鉄筋結束後に可動刃６３が切断前の元の位置に復帰するので、ワイヤの終端部５ｂ側の一側５ｃの保持が解除され、結束機本体２から切断して捩ったワイヤ５の両端５ａ、５ｂを変形させることなくスムーズ且つ簡単に外すことができる。
【００５５】
上記第４の実施例は、上下摺動型のワイヤ切断機構６１で説明したが、図９に示すように、揺動型のワイヤ切断機構７１に適用しても、同様の作用効果を達成できることは言うまでもない。
【００５６】
ガイド部６の第６の実施例を説明する。図１０に示すように、ワイヤ切断機構８１は、ワイヤ５の送り量が所定量に達すると、ワイヤ５を切断するように構成されている。すなわち、ワイヤ切断機構８１はガイドフレーム１３に固定された固定刃８２と、固定刃８２に摺動してワイヤ５を切断する可動刃８３と、可動刃８３を可動させる駆動レバー１６とから構成されたスライドカッターである。
【００５７】
固定刃８２には、ワイヤ５の送り方向に向かってワイヤ貫通孔８２ａが貫通形成されている。ワイヤ貫通孔８２ａの一端は案内管８の先端部８ｂに向かって開口し、他端はカールガイド１２に向かって開口している。ワイヤ貫通孔８２ａの一端側の開口は、ワイヤ入口８２ｂであって、ワイヤ貫通孔８２ａの他端側の開口は、ワイヤ出口８２ｃである。
【００５８】
ワイヤ切断機構８１は、駆動レバー１６により可動刃８３を下方（ワイヤの曲線の外側から内側）に可動させることによって、可動刃８３の一方の面８３ａが固定刃８２のワイヤ貫通孔８２ａのワイヤ出口８２ｃ側の面に沿って下方に摺動し、可動刃８３の一方の面８３ａの下端縁がワイヤ貫通孔８２ａを貫通したワイヤ５を切断するようになっている。
【００５９】
前記可動刃８３は、下端部８３ｃが、切断して切り離されたワイヤ５の切断端部（以下、終端部という。）５ｂ側の一側５ｃを切断方向（下方）に押し出す。可動刃８３の他方の面８３ｂの下部には、略三角状の折曲突起８４が形成されている。折曲突起８４は、他方の面８３ｂを延長して形成された垂直面８４ａと垂直面８４ａの先端から固定刃８３側に向かって上昇傾斜する傾斜面８４ｂとからなる。
【００６０】
ガイドフレーム１３には、可動刃８３の折曲突起８４で押し出されて折り曲げられたワイヤ５の終端部５ｂ側の一側５ｃに当接して折り曲げる当接部のガイドピン８５が設けられている。従って、鉄筋結束機１は、ワイヤ５を切断した後の折り曲げられた終端部５ｂ側の一側５ｃをガイドピン８５が保持することになる。折曲突起８４は、可動刃８３の下端部８３ｃに形成され、ワイヤ５の終端部５ｂ側の一側５ｃを保持する保持装置の折曲部を構成する。ワイヤ５の終端部５ｂ側の一側５ｃとは、可動刃８３の折曲突起８４の先端が接触する位置のことである。
【００６１】
鉄筋結束機１は、上記構成により、ワイヤ５がガイド部６で巻き癖を付けられて鉄筋７の周囲に巻き回された後、図１０（ｂ）に示すように、ワイヤ切断機構８１が作動し、可動刃８３が下動すると、切断前に、折曲突起８４の先端がワイヤ５の終端部５ｂ側の一側５ｃに係合してワイヤ５を押し下げて折り曲げて折曲部を形成し、次に、一方の面８３ａの下端縁でワイヤ５を切断する。
【００６２】
可動刃８３は、切断後直ちに元の位置に復帰して停止する。ワイヤ５の終端部５ｂ側の一側５ｃは、折り曲げられているので、ガイドピン８５に引っ掛かって保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。また、可動刃８３が直接ワイヤ５の終端部５ｂを保持しないので、可動刃８３に保持するための負荷がかからず、耐久性が向上する。
【００６３】
鉄筋結束後は、ワイヤの終端部５ｂ側の一側５ｃがガイドピン８５に引っ掛かって保持されているだけなので、結束機本体２から切断して捩ったワイヤ５の両端５ａ、５ｂを変形させることなくスムーズ且つ簡単に外すことができる。
【００６４】
ガイド部６の第７の実施例を説明する。図１１に示すように、ワイヤ切断機構９１は、ワイヤ５の送り量が所定量に達すると、ワイヤ５を切断するように構成されている。すなわち、ワイヤ切断機構９１は、回動可能に設けられた円軸状の可動刃９２と、ガイドフレーム１３に固定され、前記円軸状の可動刃９２を回動可能に収納する固定刃９３と、前記可動刃９２を回動させる駆動レバー１６とから構成されたロータリーカッターである。
【００６５】
円軸状の可動刃９２には、ワイヤ５の送り方向に向かってワイヤ貫通孔９２ａが貫通形成されている。ワイヤ貫通孔９２ａの一端は案内管８の先端部８ｂに向かって開口し、他端はカールガイド１２に向かって開口している。ワイヤ貫通孔９２ａの一端側の開口は、ワイヤ入口９２ｂであって、ワイヤ貫通孔９２ａの他端側の開口は、ワイヤ出口９２ｃである。また、固定刃９３には、ワイヤ５の送り方向に向かってワイヤ挿通孔９３ａが形成されている。ワイヤ挿通孔９３ａの一端は案内管８に向かって開口し、ワイヤ挿通孔９３ａの他端は可動刃９２のワイヤ貫通孔９２ａのワイヤ入口９２ｂに向かって開口している。ワイヤ挿通孔９３ａの一端側の開口は、ワイヤ進入口９３ｂであって、ワイヤ挿通孔９３ａの他端側の開口は、ワイヤ排出口９３ｃである。
【００６６】
ワイヤ切断機構９１は、駆動レバー１６により可動刃９２を反時計方向に回動させることによって、可動刃９２のワイヤ入口９２ｂ側の面が固定刃９３のワイヤ排出口９３ｃ側の面に沿って下方に摺動し、可動刃９２のワイヤ入口９２ｂの上端縁９２ｄがワイヤ貫通孔９２ａに貫通させたワイヤ５を切断するようになっている。
【００６７】
前記可動刃９２は、ワイヤ５を切断すると共に、ワイヤ貫通孔９２ａのワイヤ出口９２ｃの下端縁９２ｅが、切断して切り離されたワイヤ５の切断端部（以下、終端部という。）５ｂ側の一側５ｃを反切断方向（上方）に押し出して折り曲げ、折曲部を形成する。ガイドフレーム１３には、可動刃９２で押し出されたワイヤ５の終端部５ｂ側の一側５ｃに当接する当接部としてガイドピン９５が設けられている。従って、鉄筋結束機１は、ワイヤ５を切断した後の折り曲げた折曲部としての終端部５ｂ側の一側５ｃを可動刃９２のワイヤ貫通孔９２ａの下端縁９２ｅとガイドピン９５によって挟み込んで保持することになる。ワイヤ５の終端部５ｂ側の一側５ｃとは、可動刃９２のワイヤ貫通孔９２ａの下端縁９２ｅが接触する位置のことである。
【００６８】
鉄筋結束機１は、上記構成により、ワイヤ５がガイド部６で巻き癖を付けられて鉄筋７の周囲に巻き回された後、ワイヤ切断機構９１が作動し、可動刃９２が回動して可動刃９２のワイヤ貫通孔９２ａのワイヤ入口９２ｂの上端縁９２ｄがワイヤ５を切断する。切断と略同時に可動刃９２のワイヤ貫通孔９２ａのワイヤ出口９２ｃの下端縁９２ｅが切断したワイヤ５の終端部５ｂ側の一側５ｃを切断方向（上方）に押し上げ、可動刃９２のワイヤ貫通孔９２ａの下端縁９２ｅとガイドピン９５でワイヤ５の終端部５ｂ側の一側５ｃを挟持する。可動刃９２は、切断後切断した位置で停止する。これにより、ワイヤ５の終端部５ｂ側の一側５ｃが可動刃９２のワイヤ出口９２ｃの下端縁９２ｅとガイドピン９５で保持される。
【００６９】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。ワイヤ５を切断するときの可動刃９２の動作を利用してワイヤ５の終端部５ｂを可動刃９２とガイドピン９５で挟み込むため確実に保持できる。
【００７０】
鉄筋結束後に可動刃９２が切断前の元の位置に復帰するので、ワイヤの終端部５ｂ側の一側５ｃの保持が解除され、結束機本体２から切断して捩ったワイヤ５の両端５ａ、５ｂを変形させることなくスムーズ且つ簡単に外すことができる。
【００７１】
ガイド部６の第８の実施例を説明する。図１２に示すように、ワイヤ切断機構１０１は、ワイヤ５の送り量が所定量に達すると、ワイヤ５を切断するように構成されている。すなわち、ワイヤ切断機構１０１はガイドフレーム１３に固定された円軸状の固定刃１０２と、固定刃１０２の周囲に回動可能に設けられた可動刃１０３と、可動刃１０３を回動させる駆動レバー１６とから構成されたロータリーカッターである。
【００７２】
円軸状の固定刃１０２には、ワイヤ５の送り方向に向かってワイヤ貫通孔１０２ａが貫通形成されている。ワイヤ貫通孔１０２ａの一端は案内管８の先端部８ｂに向かって開口し、他端はカールガイド１２に向かって開口している。ワイヤ貫通孔１０２ａの一端側の開口は、ワイヤ入口１０２ｂであって、ワイヤ貫通孔１０２ａの他端側の開口は、ワイヤ出口１０２ｃである。また、可動刃１０３には、ワイヤ５の送り方向に向かってワイヤ挿通孔１０３ａが形成されている。ワイヤ挿通孔１０３ａの一端は固定刃１０２のワイヤ貫通孔１０２ａのワイヤ出口１０２ｃに向かって開口し、他端はカールガイド１２に向かって開口している。可動刃１０３のワイヤ挿通孔１０３ａの一端側の開口は、ワイヤ進入口１０３ｂであって、ワイヤ挿通孔１０３ａの他端側の開口は、ワイヤ排出口１０３ｃである。
【００７３】
ワイヤ切断機構１０１は、駆動レバー１６により可動刃１０３を反時計方向に回動させることによって、可動刃１０３のワイヤ進入口１０３ｂ側の面が固定刃１０２のワイヤ出口１０２ｃ側の面に沿って上方に摺動し、可動刃１０３のワイヤ進入口１０３ｂの下端縁がワイヤ貫通孔１０２ａに貫通させたワイヤ５を切断するようになっている。
【００７４】
前記可動刃１０３は、ワイヤ５を切断すると共に、ワイヤ挿通孔１０３ａのワイヤ排出口１０３ｃの下端縁１０３ｄが、切断して切り離されたワイヤ５の切断端部（以下、終端部という。）５ｂ側の一側５ｃを切断方向（上方）に押し出す。ガイドフレーム１３には、可動刃１０３で押し出されたワイヤ５の終端部５ｂ側の一側５ｃに当接するガイドピン１０５が設けられている。従って、鉄筋結束機１は、ワイヤ５を切断した後の終端部５ｂ側の一側５ｃを可動刃１０３のワイヤ挿通孔１０３ａの下端縁１０３ｄとガイドピン１０５によって保持することになる。ワイヤ５の終端部５ｂ側の一側５ｃとは、可動刃１０３のワイヤ挿通孔１０３ａ通孔９２ａの下端縁９２ｅが接触する位置のことである。
【００７５】
鉄筋結束機１は、上記構成により、ワイヤ５がガイド部６で巻き癖を付けられて鉄筋７の周囲に巻き回された後、ワイヤ切断機構１０１が作動し、可動刃１０３が上方に回動して可動刃１０３のワイヤ進入口１０３ｂの下端縁がワイヤを切断する。切断と略同時に、可動刃１０３のワイヤ排出口１０３ｃの下端縁１０３ｄが切断したワイヤ５の終端部５ｂ側の一側５ｃを切断方向（上方）に押し上げ、可動刃１０３のワイヤ排出口１０３ｃの下端縁１０３ｄとガイドピン１０５でワイヤ５の終端部５ｂの一側５ｃを挟持する。可動刃１０３は、切断後切断した位置で停止する。これにより、ワイヤ５の終端部５ｂ側の一側５ｃが可動刃１０３とガイドピン１０５で保持される。
【００７６】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。ワイヤ５を切断するときの可動刃１０３の動作を利用してワイヤ５の終端部５ｂを可動刃９２とガイドピン１０５で挟み込むため確実に保持できる。第４〜第８実施例は当接部としてのガイドピンを利用してワイヤ５の終端部５ｂを保持する構成であり、このガイドピンはガイドフレーム１３のスペースを利用して配置することができ、ガイドピンそのものはワイヤ切断機構や他に部材に比べて小さくて良いため、配置調整も容易であり、メンテナンス性も良い。
【００７７】
鉄筋結束後に可動刃１０３が切断前の元の位置に復帰するので、ワイヤの終端部５ｂの一側５ｃの保持が解除され、結束機本体２から切断して捩ったワイヤ５の両端５ａ、５ｂを変形させることなくスムーズ且つ簡単に外すことができる。
【００７８】
上記第８の実施例は、ワイヤ切断機構１０１が円軸状の固定刃１０２と、固定刃１０２の周囲に回動可能に設けられた可動刃１０３とからなる構成で説明した。しかし、内側可動刃１０２と、内側可動刃１０２を回動可能に収納する外側可動刃１０３とで構成し、内側可動刃１０２と外側可動刃１０３を回動させてワイヤ５を切断するワイヤ切断機構であっても構わない。
【００７９】
ガイド部６の第９の実施例を説明する。図１３に示すように、ワイヤ切断機構１１１は、ワイヤ５の送り量が所定量に達すると、ワイヤ５を切断するように構成されている。すなわち、ワイヤ切断機構１１１はガイドフレーム１３に固定された固定刃１１２と、固定刃１１２に摺動してワイヤ５を切断する可動刃１１３と、可動刃１１３を可動させる駆動レバー１６とから構成されたスライドカッターである。
【００８０】
固定刃１１２には、ワイヤ５の送り方向に向かってワイヤ貫通孔１１２ａが貫通形成されている。ワイヤ貫通孔１１２ａの一端は案内管８の先端部８ｂに向かって開口し、他端はカールガイド１２に向かって開口している。ワイヤ貫通孔１１２ａの一端側の開口は、ワイヤ入口１１２ｂであって、ワイヤ貫通孔１１２ａの他端側の開口は、ワイヤ出口１１２ｃである。
【００８１】
ワイヤ切断機構１１１は、駆動レバー１６により可動刃１１３を上方（ワイヤの曲線の内側から外側）に可動させることによって、可動刃１１３の一方の面１１３ａが固定刃１１２のワイヤ貫通孔１１２ａのワイヤ出口１１２ｃ側の面に沿って上方に摺動し、可動刃１１３の一方の面１１３ａの上端縁がワイヤ貫通孔１１２ａに貫通させたワイヤ５を切断するようになっている。
【００８２】
前記可動刃１１３は、切断したワイヤ５の終端部５ｂ側の一側５ｃを切断方向（上方）に押し出す押圧部材１１５が設けられている。押圧部材１１５は、アーム状に形成され、可動刃１１３の他方の面１１３ｂの下部に設けられている。押圧部材１１５の先端には、略三角状の押圧突起１１６が形成されている。押圧突起１１６は、押圧部材１１５の先端面を延長して形成された垂直面１１６ａと垂直面１１６ａの先端から他方の面１１３ｂ側に向かって下降傾斜する傾斜面１１６ｂとからなる。押圧突起１１６は、切断したワイヤ５の終端部５ｂ側の一側５ｃをワイヤ案内通路（カールガイド１２）の側面（ガイド溝２０）側に押圧する保持装置の押圧部を構成する。ワイヤ５の終端部５ｂ側の一側５ｃとは、可動刃１１３の押圧突起１１６の先端が接触する位置のことである。
【００８３】
鉄筋結束機１は、上記構成により、ワイヤ５がガイド部６で巻き癖を付けられて鉄筋７の周囲に巻き回された後、ワイヤ切断機構１１１が作動し、可動刃１１３が上動して、切断前に、可動刃１１３の他方の面１１３ｂの上縁がワイヤ５の終端部５ｂの近傍５ｄに係合してワイヤ５を押し上げて折り曲げ、可動刃１１３の一方の面１１３ａの上端縁でワイヤ５を切断する。
【００８４】
切断後、さらに押圧突起１１６の先端がワイヤ５の終端部５ｂ側の一側５ｃに係合してワイヤ５をワイヤ案内通路（カールガイド１２）の側面（ガイド溝２０）側に押圧する。可動刃１１３は、切断後切断した位置で停止する。ワイヤ５の終端部近傍５ｄは、可動刃１１３の他方の面１１３ｂの上縁によって折り曲げられている。ワイヤ案内通路（カールガイド１２）は、側面（ガイド溝２０）と押圧突起１１６の先端によって狭められているので、ワイヤ５の折り曲げられた終端部近傍５ｄは、押圧突起１１６の先端に引っかかって保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。可動刃１１３に押圧部材１１５を設けるだけで良く、ワイヤ切断の一連の動作でワイヤ５の終端部５ｂを押圧部材１１５でカールガイド１２に押圧して保持できる。
【００８５】
鉄筋結束後にトリガを解除すると、可動刃１１３と共に押圧部材１１５が元の位置に復帰するので、ワイヤの終端部近傍５ｄの保持が解除され、結束機本体２から切断して捩ったワイヤ５の両端５ａ、５ｂを変形させることなくスムーズ且つ簡単に外すことができる。なお、前記した押圧部材１１５は、押圧突起１１６とガイド溝２０の間を狭くして、切断したワイヤ５の終端部近傍５ｄを通り難くしたが、押圧突起１１５によって、切断したワイヤ５の終端部５ｂ側の一側５ｃをワイヤ案内通路（カールガイド１２）の側面（ガイド溝２０）側に押し付けて保持するように構成しても構わない。
【００８６】
ガイド部６の第１０の実施例を説明する。図１４に示すように、ワイヤ切断機構１２１は、ワイヤ５の送り量が所定量に達すると、ワイヤ５を切断するように構成されている。すなわち、ワイヤ切断機構１２１はガイドフレーム１３に固定された円軸状の固定刃１２２と、固定刃１２２の周囲に回動可能に設けられた可動刃１２３と、可動刃１２３を回動させる駆動レバー１６とから構成されたロータリーカッターである。
【００８７】
円軸状の固定刃１２２には、ワイヤ５の送り方向に向かってワイヤ貫通孔１２２ａが貫通形成されている。ワイヤ貫通孔１２２ａの一端は案内管８の先端部８ｂに向かって開口し、他端はカールガイド１２に向かって開口している。ワイヤ貫通孔１２２ａの一端側の開口は、ワイヤ入口１２２ｂであって、ワイヤ貫通孔１２２ａの他端側の開口は、ワイヤ出口１２２ｃである。また、可動刃１２３には、ワイヤ５の送り方向に向かってワイヤ挿通孔１２３ａが形成されている。ワイヤ挿通孔１２３ａの一端は固定刃１２２のワイヤ貫通孔１２２ａのワイヤ出口１２２ｃに向かって開口し、他端はカールガイド１２に向かって開口している。ワイヤ挿通孔１２３ａの一端側の開口は、ワイヤ進入口１２３ｂであって、ワイヤ挿通孔１２３ａの他端側の開口は、ワイヤ排出口１２３ｃである。
【００８８】
ワイヤ切断機構１２１は、駆動レバー１６により可動刃１２３を反時計方向に回動させることによって、可動刃１２３のワイヤ進入口１２３ｂ側の面が固定刃１２２のワイヤ出口１２２ｃ側の面に沿って上方に摺動し、可動刃１２３のワイヤ進入口１２３ｂの下端縁がワイヤ貫通孔１２２ａに貫通させたワイヤ５を切断するようになっている。
【００８９】
前記可動刃１２３は、リンク機構１２８を介して保持部材として保持軸１２９に連係されている。リンク機構は、第１のリンク部材１２８ａと第２のリンク部材１２８ｂとからなる。第２のリンク部材１２８ｂは、ガイドフレーム１３に回動可能に取り付けられている。第１のリンク部材１２８ａは、一方が可動刃１２３に回動可能に取り付けられ、他方が第２のリンク部材１２８ｂの上部に回動可能に取り付けられている。保持軸１２９は、ガイドフレーム１３に軸方向に摺動可能に取り付けられ、後端が第２のリンク部材１２８ｂに回動可能に連結され、先端がワイヤ５の終端部５ｂ側の一側５ｃに当接するようになっている。
【００９０】
前記可動刃１２３は、ワイヤを切断すると共に、リンク機構１２８を介して、保持軸１２９の先端が切断したワイヤ５の終端部５ｂ側の一側５ｃをワイヤ案内通路（カールガイド１２）の側面（ガイド溝２０）側に押圧する。従って、鉄筋結束機１は、ワイヤ５を切断した後の終端部５ｂ側の一側５ｃを保持軸１２９の先端とワイヤ案内通路（カールガイド１２）の側面（ガイド溝２０）側によって保持することになる。ワイヤ５の終端部５ｂ側の一側５ｃとは、保持軸１２９の先端が接触する位置のことである。
【００９１】
鉄筋結束機１は、上記構成により、ワイヤ５がガイド部６で巻き癖を付けられて鉄筋７の周囲に巻き回された後、ワイヤ切断機構１２１が作動し、可動刃１２３が回動してワイヤ挿通孔１２３ａのワイヤ進入口１２３ｂの下端縁がワイヤを切断する。切断と略同時に、リンク機構１２８を介して保持軸１２９の先端が切断したワイヤ５の終端部５ｂの一側５ｃをワイヤ案内通路（カールガイド１２）の側面（ガイド溝２０）に押し付けてワイヤ５の終端部５ｂの一側５ｃを挟持する。可動刃１２３は、切断後切断した位置で停止する。これにより、ワイヤ５の終端部５ｂ側の一側５ｃが保持軸１２９の先端とワイヤ案内通路（カールガイド１２）の側面（ガイド溝２０）で保持される。なお、第１０の実施例では、保持部材を軸状（アーム状）の保持軸としたが、リンク機構の他方をワイヤ案内通路側に近接させて、たとえば、円形や楕円形状の保持部材にしても良い。
【００９２】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。可動刃１２３にリンク機構１２８と保持軸１２９を設けるだけで良く、ワイヤ切断の一連の動作でワイヤ５の終端部５ｂを保持軸１２９でカールガイド１２に押圧して保持できる。また、リンク機構の長さによって保持軸１２９の押圧力を調整することができる。
【００９３】
鉄筋結束後に可動刃１２３が切断前の元の位置に復帰するので、リンク機構１２８を介して保持軸１２９がワイヤ５から離れ、ワイヤ５の終端部５ｂ側の一側５ｃの保持が解除され、結束機本体２から切断して捩ったワイヤ５の両端５ａ、５ｂを変形させることなくスムーズ且つ簡単に外すことができる。
【００９４】
ガイド部６の第１１の実施例を説明する。第１１の実施例は、第１０の実施例とワイヤ切断機構が異なっているだけなので、図１４に基づいて説明する。ワイヤ切断機構１３１は、ワイヤ５の送り量が所定量に達すると、ワイヤ５を切断するように構成されている。すなわち、ワイヤ切断機構１３１は、回動可能に設けられた円軸状の可動刃１２２と、ガイドフレーム１３に固定され、前記円軸状の可動刃１２２を回動可能に収納する固定刃１２３と、前記可動刃１２２を回動させる駆動レバー１６とから構成されたロータリーカッターである。
【００９５】
円軸状の可動刃１２２には、ワイヤ５の送り方向に向かってワイヤ貫通孔１２２ａが貫通形成されている。ワイヤ貫通孔１２２ａの一端は案内管８の先端部８ｂに向かって開口し、他端はカールガイド１２に向かって開口している。ワイヤ貫通孔１２２ａの一端側の開口は、ワイヤ入口１２２ｂであって、ワイヤ貫通孔１２２ａの他端側の開口は、ワイヤ出口１２２ｃである。また、固定刃１２３には、ワイヤ５の送り方向に向かってワイヤ挿通孔１２３ａが形成されている。ワイヤ挿通孔１２３ａの一端は回動刃１２２のワイヤ出口１２２ｃに向かって開口し、他端はカールガイド１２に向かって開口している。ワイヤ挿通孔１２３ａの一端側の開口は、ワイヤ進入口１２３ｂであって、ワイヤ挿通孔１２３ａの他端側の開口は、ワイヤ排出口１２３ｃである。
【００９６】
ワイヤ切断機構１３１は、駆動レバー１６により可動刃１２２を反時計方向に回動させることによって、可動刃１２２のワイヤ出口１２２ｃ側の面が固定刃１２３のワイヤ進入口１２３ｂ側の面に沿って上方に摺動し、可動刃１２２のワイヤ出口１２２ｃの下端縁がワイヤ貫通孔１２２ａに貫通させたワイヤ５を切断するようになっている。
【００９７】
前記駆動レバー１６は、リンク機構１２８を介して保持軸１２９に連係されている。リンク機構１２８は、第１のリンク部材１２８ａと第２のリンク部材１２８ｂとからなる。第２のリンク部材１２８ｂは、ガイドフレーム１３に回動可能に取り付けられている。第１のリンク部材２８ａは、一方が回動刃１２２に回動可能に取り付けられ、他方が第２のリンク部材１２８ｂの上部に回動可能に取り付けられている。保持軸１２９は、ガイドフレーム１３に軸方向に摺動可能に取り付けられ、後端が第２のリンク部材１２８ｂに回動可能に連結され、先端がワイヤ５の終端部５ｂ側の一側５ｃに当接するようになっている。
【００９８】
前記可動刃１２２は、ワイヤを切断すると共に、リンク機構１２８を介して、保持軸１２９の先端が切断したワイヤ５の終端部５ｂ側の一側５ｃをワイヤ案内通路（カールガイド１２）の側面（ガイド溝２０）側に押圧する。従って、鉄筋結束機１は、ワイヤ５を切断した後の終端部５ｂ側の一側５ｃを保持軸１２９の先端とワイヤ案内通路（カールガイド１２）の側面（ガイド溝２０）側によって保持することになる。ワイヤ５の終端部５ｂ側の一側５ｃとは、保持軸１２９の先端が接触する位置のことである。なお、第１１の実施例では、保持部材を軸状（アーム状）の保持軸としたが、リンク機構の他方をワイヤ案内通路側に近接させて、たとえば、円形や楕円形状の保持部材にしても良い。
【００９９】
鉄筋結束機１は、上記構成により、ワイヤ５がガイド部６で巻き癖を付けられて鉄筋７の周囲に巻き回された後、ワイヤ切断機構１３１が作動し、可動刃１２２が上方に回動してワイヤを切断すると、操作レバー、リンク機構１２８を介して保持軸１２９の先端が切断したワイヤ５の終端部５ｂ側の一側５ｃをワイヤ案内通路（カールガイド１２）の側面（ガイド溝２０）に押し付けてワイヤ５の終端部５ｂ側の一側５ｃを挟持する。可動刃１２３は、切断後切断した位置で停止する。これにより、ワイヤ５の終端部５ｂ側の一側５ｃが保持軸１２９の先端とワイヤ案内通路（カールガイド１２）の側面（ガイド溝２０）で保持される。
【０１００】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。可動刃１２２にリンク機構１２８と保持軸１２９を設けるだけで良く、ワイヤ切断の一連の動作でワイヤ５の終端部５ｂを保持軸１２９でカールガイド１２に押圧して保持できる。また、リンク機構の長さによって保持軸１２９の押圧力を調整することができる。
【０１０１】
鉄筋結束後に可動刃１２２が切断前の元の位置に復帰するので、リンク機構１２８を介して保持軸１２９がワイヤ５から離れ、ワイヤ５の終端部５ｂ側の一側５ｃの保持が解除され、結束機本体２から切断して捩ったワイヤ５の両端５ａ、５ｂを変形させることなくスムーズ且つ簡単に外すことができる。
【０１０２】
ガイド部６の第１２の実施例を説明する。上記第１０及び第１１の実施例は、保持部材の保持軸１２９をワイヤ切断機構１２１，１３１にリンク機構１２８を介して連係させたが、図１５に示すように、保持部材の保持軸１２９を結束機本体２の駆動部に他のリンク機構を介して連係させても構わない。ワイヤ切断機構は、上述した通りのロータリーカッター又はスライドカッターである。ワイヤ切断機構によってワイヤを切断すると、結束機本体２の駆動部により、他のリンク機構を介して、保持軸１２９の先端が、切断して切り離されたワイヤ５の切断端部（以下、終端部という。）５ｂ側の一側５ｃをワイヤ案内通路（カールガイド１２）の側面（ガイド溝２０）側に押圧する。従って、鉄筋結束機１は、ワイヤ５を切断した後の終端部５ｂ側の一側５ｃを保持軸１２９の先端とワイヤ案内通路（カールガイド１２）の側面（ガイド溝２０）側によって保持することになる。ワイヤ５の終端部５ｂ側の一側５ｃとは、保持軸１２９の先端が接触する位置のことである。
【０１０３】
鉄筋結束機１は、上記構成により、ワイヤ５がガイド部６で巻き癖を付けられて鉄筋７の周囲に巻き回された後、ワイヤ切断機構が作動してワイヤを切断すると、他のリンク機構を介して保持軸１２９の先端が切断したワイヤ５の終端部５ｂ側の一側５ｃをワイヤ案内通路（カールガイド１２）の側面（ガイド溝２０）に押し付けてワイヤ５の終端部５ｂ側の一側５ｃを挟持する。これにより、ワイヤ５の終端部５ｂ側の一側５ｃが保持軸１２９の先端とワイヤ案内通路（カールガイド１２）の側面（ガイド溝２０）で保持される。
【０１０４】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。ワイヤ切断機構とは別に駆動部を利用しているため、ワイヤ保持タイミングを独立して任意に調整することが可能である。第９〜第１２実施例はカールガイド１２と押圧部材や保持部材を利用してワイヤ５の終端部５ｂを保持する構成であり、このカールガイド１２のワイヤ案内通路は広い範囲であるため押圧部材や保持部材の配置調整が容易である。
【０１０５】
鉄筋結束後に鉄筋結束機の駆動部により、他のリンク機構を介して保持軸１２９が元の位置に復帰し、ワイヤの終端部５ｂ側の一側５ｃの保持が解除され、結束機本体２から切断して捩ったワイヤ５の両端５ａ、５ｂを変形させることなくスムーズ且つ簡単に外すことができる。
【産業上の利用可能性】
【０１０６】
本願発明は、鉄筋結束機に利用可能である。
【符号の説明】
【０１０７】
１  鉄筋結束機
２  結束機本体
３  収納室
４  トリガ
５  ワイヤ
５ａ  始端部
５ｂ  終端部
５ｃ  一側
６  ガイド部
７  鉄筋
８  案内管
８ａ  一端
８ｂ  他端（先端）
９  下部ガイド
１２  カールガイド
１３  ガイドフレーム
１６  駆動レバー
２０  ガイド溝
２３  ガイドピン
３１  ワイヤ切断機構
３２  固定刃
３２ａ  ワイヤ貫通孔
３２ｂ  ワイヤ入口
３２ｃ  ワイヤ出口
３２ｅ  一方の面
３３  可動刃
３３ａ  一方の面
３３ｂ  他方の面
３４  折曲突起
３４ａ  垂直面
３４ｂ  傾斜面
４１  ワイヤ切断機構
５１  ワイヤ切断機構
５２  可動刃
５２ａ  ワイヤ貫通孔
５２ｂ  ワイヤ入口
５２ｃ  ワイヤ出口
５２ｄ  上端縁
５２ｅ  下端縁
５３  固定刃
５３ａ  ワイヤ挿通孔
５３ｂ  ワイヤ進入口
５３ｃ  ワイヤ排出口
６１  ワイヤ切断機構
６２  固定刃
６２ａ  ワイヤ貫通孔
６２ｂ  ワイヤ入口
６２ｃ  ワイヤ出口
６３  可動刃
６３ａ  一方の面
６３ｃ  下端部
６５  ガイドピン
７１  ワイヤ切断機構
８１  ワイヤ切断機構
８２  固定刃
８２ａ  ワイヤ貫通孔
８２ｂ  ワイヤ入口
８２ｃ  ワイヤ出口
８３  可動刃
８３ａ  一方の面
８３ｂ  他方の面
８３ｃ  下端部
８４  折曲突起
８４ａ  垂直面
８４ｂ  傾斜面
８５  ガイドピン
９１  ワイヤ切断機構
９２  可動刃
９２ａ  ワイヤ貫通孔
９２ｂ  ワイヤ入口
９２ｃ  ワイヤ出口
９２ｄ  上端縁
９２ｅ  下端縁
９３  固定刃
９３ａ  ワイヤ挿通孔
９３ｂ  ワイヤ進入口
９３ｃ  ワイヤ排出口
９５  ガイドピン
１０１  ワイヤ切断機構
１０２  可動刃
１０２ａ  ワイヤ貫通孔
１０２ｂ  ワイヤ入口
１０２ｃ  ワイヤ出口
１０３  固定刃
１０３ａ  ワイヤ挿通孔
１０３ｂ  ワイヤ進入口
１０３ｃ  ワイヤ排出口
１０３ｄ  下端縁
１０５  ガイドピン
１１１  ワイヤ切断機構
１１２  固定刃
１１２ａ  ワイヤ貫通孔
１１２ｂ  ワイヤ入口
１１２ｃ  ワイヤ出口
１１３  可動刃
１１３ａ  一方の面
１１３ｂ  他方の面
１１５  押圧部材
１１６  押圧突起
１１６ａ  垂直面
１１６ｂ  傾斜面
１２１  ワイヤ切断機構
１２２  固定刃
１２２ａ  ワイヤ貫通孔
１２２ｂ  ワイヤ入口
１２２ｃ  ワイヤ出口
１２３  可動刃
１２３ａ  ワイヤ挿通孔
１２３ｂ  ワイヤ進入口
１２３ｃ  ワイヤ排出口
１２６  操作レバー
１２８  リンク機構
１２８ａ  第１のリンク部材
１２８ｂ  第２のリンク部材
１２９  保持軸（保持部材）
１３１  ワイヤ切断機構
【図１】
2019014536.tif 000003
【図２】
2019014536.tif 000004
【図３】
2019014536.tif 000005
【図４】
2019014536.tif 000006
【図５】
2019014536.tif 000007
【図６】
2019014536.tif 000008
【図７】
2019014536.tif 000009
【図８】
2019014536.tif 000010
【図９】
2019014536.tif 000011
【図１０】
2019014536.tif 000012
【図１１】
2019014536.tif 000013
【図１２】
2019014536.tif 000014
【図１３】
2019014536.tif 000015
【図１４】
2019014536.tif 000016
【図１５】
2019014536.tif 000017